(57)【要約】【課題】狭い場所にも設置でき、しかも、人工的な川の流れを造りだし大人から子供までみんな楽しくかつ比較的容易に宝物が探索できるようにした宝探しゲーム用装置を提供する。【解決手段】複数の通路ユニットａ〜ｉを連続状に接続して形成され、上面が開放し適量の砂又は砂利２９が充填されると共に通水される通路本体３１を備え、該通路本体３１内の途中に該通路本体３１の高さよりも低い堰状の仕切壁６ｂ，１８を立設し、該通路本体３１の高さを前記仕切壁６ｂ，１８を挟んでその上流側よりも下流側が低くなるように設定し、ポンプ２８等の動力源により前記通路本体３１の下流端部に至った水ｗを上流端部に送ることにより該水ｗが該通路本体３１内を循環するようにした。【選択図】図１
2008295933.tif 000002
【特許請求の範囲】
【請求項１】
複数の通路ユニットを連続状に接続して形成され、上面が開放し適量の砂又は砂利が充填されると共に通水される通路本体を備え、前記通路本体内の途中に該通路本体の高さよりも低い堰状の仕切壁を立設し、前記通路本体の高さを前記仕切壁を挟んでその上流側よりも下流側が低くなるように設定し、ポンプ等の動力源により前記通路本体の下流端部に至った水を上流端部に戻すことにより該水が前記通路本体内を循環するようにしたことを特徴とする宝探しゲーム用装置。
【請求項２】
前記複数の通路ユニットは、分離可能に接続できるようにした請求項１記載の宝探しゲーム用装置。
【請求項３】
前記仕切壁は複数個設けられ、前記各仕切壁は下流側に進むに従い段階的に低くなるように設定されている請求項１又は２記載の宝探しゲーム用装置。
【発明の詳細な説明】
【技術分野】
【０００１】
本発明は、砂又は砂利内に宝石や貴金属等の宝を混入した状態で水を流し、手探りで前記宝を探すゲームとして使用する宝探しゲーム用装置に関するものである。
【背景技術】
【０００２】
従来、宝探しゲームとして、例えばイベントが開催される地で適宜場所を探索地域とし、その探索地域の所定個所に見つけにくいように宝石や貴金属といった宝を隠し、宝の隠し場所のヒントを基に応募者が足を使って探すようにしたものが有る（例えば、特許文献１参照。）。
【特許文献１】特開２００４−１９２３７３号公報（第７−８頁段落００１８−段落００１９）
【発明の開示】
【発明が解決しようとする課題】
【０００３】
しかしながら、前記特許文献１の宝探しゲームでは、比較的広い敷地内で宝を探すことになるので、足を使わねばならずそれら宝を探索することが容易ではなく、子供の中には探し疲れてそれ以上探すことを断念してしまう者が現れるなど楽しく比較的容易に探索できるというゲーム本来の趣旨が十分に発揮されていないという課題が有った。
【０００４】
そこで、本発明は上記課題に鑑みてなされたもので、狭い場所にも設置でき、しかも、人工的な川の流れを造りだし大人から子供までみんな楽しくかつ比較的容易に宝が探索できるようにした宝探しゲーム用装置を提供することを目的とするものである。
【課題を解決するための手段】
【０００５】
かかる目的を達成するため本発明に係る宝探しゲーム用装置は、複数の通路ユニットを連続状に接続して形成され、上面が開放し適量の砂又は砂利が充填されると共に通水される通路本体を備え、前記通路本体内の途中に該通路本体の高さよりも低い堰状の仕切壁を立設し、前記通路本体の高さを前記仕切壁を挟んでその上流側よりも下流側が低くなるように設定し、ポンプ等の動力源により前記通路本体の下流端部に至った水を上流端部に戻すことにより該水が前記通路本体内を循環するようにしたことを特徴とする。
【０００６】
この際、前記複数の通路ユニットは、分離可能に接続できるようにすることが好ましい。
【０００７】
また、前記仕切壁は複数個設けられ、前記各仕切壁は下流側に進むに従い段階的に低くなるように設定されていることが好ましい。
【発明の効果】
【０００８】
本発明に係る宝探しゲーム用装置は、狭い場所に設置でき、通路本体内に通水すると共に充填された砂又は砂利の中に宝石や貴金属等の宝を混入するようにしたので、ほとんど移動せずにその宝を手で探索することになるから、宝が比較的容易に探索できる。しかも、手で水に触れられるので、手探り状態となり宝探しの面白みが増すという効果がある。
【０００９】
また、宝探しゲーム用装置は、通路本体内の途中に該通路本体の高さよりも低い堰状の仕切壁を立設すると共に、通路本体の高さを仕切壁を挟んでその上流側よりも下流側が低くなるように設定してなるので、背の高い大人は上流側、低い子供は下流側に位置すれば、宝の探索も容易に行なえる。
【００１０】
更に、複数の通路ユニットを分離可能に接続できるようにしているので、通路ユニットを適宜組み合わせることにより宝探しゲーム用装置の平面的な形状を変更することができ、これにより設置スペースが有効に利用できる。更にまた、前記通路本体内に立設される複数の仕切壁が下流側に進むに従い段階的に低くなるように設定してなるので、これにより人工的な川の流れを造りだすことができ、恰も川の中で探索している気分になって、面白みが一段と増すという効果がある。
【発明を実施するための最良の形態】
【００１１】
以下、本発明に係る宝探しゲーム用装置の実施の形態を図面に基づき詳細に説明する。図１は本発明に係る宝探しゲーム用装置の斜視図、図２は同平面図、図３は同長手方向に沿った中央側面断面図である。宝探しゲーム用装置Ａは、複数の通路ユニットａ〜ｉ（本発明にあっては例えば９個に分割区画されている。）からなり、それら通路ユニットａ〜ｉを連続的に接続して構成される。これにより、人工的な川が形成できるようにしている。
【００１２】
すなわち、複数の通路ユニットａ〜ｉは、上流端通路ユニットａと上流側通路ユニットｂ、中流側コーナー通路ユニットｃと中流側第一通路ユニットｄと中流側コーナー通路ユニットｅと中流側第二通路ユニットｆ、下流側コーナー通路ユニットｇと下流側通路ユニットｈと下流端通路ユニットｉからなる。これら通路ユニットａ〜ｉは、金属製であって上部の通路部材１と該通路部材１を下から保持する枠部材２とから構成される。通路部材１は、横断面凹型に形成され接続端面は開口している。また、枠部材２は、略直方体形状に形成される。なお、通路ユニットａ〜ｉは、他に木製であっても良く、水が漏れない構造であれば材質を自由に選択できる。
【００１３】
例えば、上流端通路ユニットａにおける上部の通路部材１は、上流端面が上流端壁３により塞がれ、接続面側を残して外周縁の上端に外側へ水平に折曲がり枠部材２に支持される鍔片４が周設されている。そして、通路部材１内の底壁５上面に堰状の上流仕切壁６ａが立設される。これにより、上流端壁３と上流仕切壁６ａとの間に泥溜室７が形成される。上流端通路ユニットａと上流側通路ユニットｂの高さ、すなわち両通路部材１，１における両側壁８，８の高さは同じであるが、上流仕切壁６ａの高さはそれら側壁８，８の高さよりも低く設定されている。前記泥溜室７の底壁５には、その内部に溜まる泥を外部へ排出するためその途中に開閉弁１０を取着した排出パイプ９が設けられている。
【００１４】
上流端通路ユニットａにおける下部の枠部材２は、角パイプにより長手方向に沿った両側が方形状に枠組みされ、それらの上部杆２ａ，２ａで通路部材１が支持される。また、両下部杆２ｂ，２ｂには、図４、図５に示すようにそれら両端部にそれぞれ鉛直な螺子孔１１が貫設され、該各螺子孔１１に上流端通路ユニットａの高さや水平度を調節するための調整ボルト１２が螺合し、各下部杆２ｂの上下面で各調整ボルト１２にナット１３，１３が螺合される。そして、これらナット１３，１３を緩めて各調整ボルト１２を回動させつつ上下に移動させることにより、上流端通路ユニットａの高さや水平度を調節するようにしている。
【００１５】
上流端通路ユニットａにおける接続側であってその両側の鉛直杆２ｃ，２ｃとその間に差し渡される中杆２ｄとの接続面に、連結ボルト１４を挿通するためのボルト挿通孔１５が複数貫設される。また、両鉛直杆２ｃ，２ｃの上部と中杆２ｄとの接続面に、コ字型の防水パッキン１６が取着される。この防水パッキン１６は、通路部材１の接続面側における両側縁と下縁とを囲うように配置され、前記各ボルト挿通孔１５に対応位置して同じボルト挿通孔１７が貫設されている。
【００１６】
次に、上流端通路ユニットａに隣接してその下流側に位置する上流側通路ユニットｂについて説明する。この上流側通路ユニットｂは、比較的長く形成され、通路部材１内の下流側に位置して堰状の上流仕切壁６ｂが立設される。これにより、その上流仕切壁６ｂを挟んで底壁５上面を含め通路部材１の高さが、上流側よりも下流側が低くなるように設定される。この上流仕切壁６ｂは、上流端通路ユニットａの上流仕切壁６ａと同じ高さを有し、かつ、通路部材１の側壁８，８の高さよりも低く設定される。
【００１７】
また、枠部材２の上流側の接続面には、上流端通路ユニットａと同様に両側の鉛直杆２ｃ，２ｃとその間に差し渡される中杆２ｄとの接続面に、連結ボルト１４を挿通するためのボルト挿通孔１５が複数貫設される。更に、両鉛直杆２ｃ，２ｃの上部と中杆２ｄとの接続面に、コ字型の防水パッキン１６が取着される。この防水パッキン１６も、通路部材１の接続面側における両側縁と下縁とを囲うように配置され、前記各ボルト挿通孔１５に対応位置して同じボルト挿通孔１７が貫設されている。説明は省略するが、前記枠部材２の下流側の接続面も同様にボルト挿通孔１５が貫設され、また、防水パッキン１６が取着される。
【００１８】
残りの中流側コーナー通路ユニットｃ，ｅや下流側コーナー通路ユニットｇは、平面Ｌ字型に形成され、中流側第二通路ユニットｆにおける通路部材１内の下流側に堰状の中流仕切壁１８が立設される。また、下流端通路ユニットｉにおける通路部材１の下流端面が下流端壁１９により塞がれており、その通路部材１内に上流側と下流側とに位置して一対の第一・第二下流仕切壁２０ａ，２０ｂが立設されている。これら第一・第二下流仕切壁２０ａ，２０ｂは通路部材１の高さよりも低いが共に同じ高さを有し、その間に泥溜室２１が形成される。該泥溜室２１の底壁５にも、その内部に溜まる泥を排出するため途中に開閉弁１０を取着した排出パイプ９が設けられる。
【００１９】
第二下流仕切壁２０ｂと下流端壁１９との間には、水汲み上げ室２２が形成される。この水汲み上げ室２２内に、後記する循環パイプ２７の一端が差し込まれる。これら構成以外は、前記上流端通路ユニットａや上流側通路ユニットｂと同じ構成を採っているので、同じ部位は同じ番号を附すことにより詳しい説明は省略する。
【００２０】
そこで、例えば上流端通路ユニットａと上流側通路ユニットｂとを連結するには、図４に示すように互いの接続面を対向位置させ、これらを当接した状態で各ボルト挿通孔１５，１７に連結ボルト１４を挿通し、図５に示すようにナット２３を螺締する。この際、当接される両通路部材１，１間には、防水パッキン１６，１６が介装されるので、その接合部の隙間から水が漏れることはない。以下同様にして通路ユニットｃ〜ｉを接続する。このようにして、各通路ユニットａ〜ｉがそれぞれ分離可能に接続できることになる。そして、図２に示すように宝探しゲーム用装置Ａが配置される。この状態で、各調整ボルト１２の上下のナット１３，１３を緩めてそれら調整ボルト１２を上下動させ、他の通路ユニットｃ〜ｉの高さや水平度をしっかりと設定する。これにより、各通路部材１，１…が連続状に接続されて通路本体３１が形成される。
【００２１】
次に、上流端通路ユニットａの泥溜室７の上方に、水道管（図示せず。）から引き込んだ供給パイプ２４の一端を臨ませる。この供給パイプ２４には、その途中に温水器２５が接続され、その先端部に水の流量を調節するハンドル２６が取着される。また、循環パイプ２７の一端を下流端通路ユニットｉの水汲み上げ室２２内に差し込み、他端を前記泥溜室７に上から臨ませる。この循環パイプ２７には、動力源としてのポンプ２８が接続される。
【００２２】
これにより、通路本体３１、詳しくは両側壁８，８上端は、上流仕切壁６ｂと中流仕切壁１８を境として下流側へ進むに従いその高さが段階的に低くなるように形成される。これに伴い、上流仕切壁６と中流仕切壁１８を境としてその底壁５上面も下流側へ進むに従いその高さが段階的に低くなるように形成される。また、上流仕切壁６ｂと中流仕切壁１８自体も上流仕切壁６ｂより中流仕切壁１８の方が低くなるように設定されている。
【００２３】
最後に、通路本体３１内に、適量の砂又は砂利２９を敷き詰めると共にその中に宝石又は貴金属等の宝３０を混入させる。但し、両泥溜室７，２１と水汲み上げ室２２内には、砂又は砂利２９を充填しない。この状態で、供給パイプ２４から水ｗを供給する。これにより、泥溜室７に溜まった水ｗは、上流仕切壁６ａを乗り越えて通路本体３１内を順次下流側へ流れ、下流端部の泥溜室２１、更には水汲み上げ室２２内に達して一杯になる。ここで、供給パイプ２４からの水ｗの供給を停止する。
【００２４】
本発明に係る宝探しゲーム用装置Ａは上記構成からなり、次にその使用方法について説明する。
まず、宝探しゲーム用装置Ａの通路本体３１に沿ってその両側の適宜位置に、遊技者を配置させる。この場合、通路本体３１の上流側が高くその底壁５上面も高いことから、その部位には背の高い大人を配置させるのが好ましい。一方、通路本体３１の下流側は低くその底壁５上面も低いことから、その部位には背の低い子供を配置させるのが好ましい。
【００２５】
この状態で、循環パイプ２７に連結したポンプ２８を駆動させ、通路本体３１内の水ｗを循環させる。なお、この際、水の供給は必要に応じて適宜追加するようにする。そして、遊技者は、砂又は砂利２９内に手を入れて宝３０を探して楽しむ。このように、ほとんど移動せずに宝３０を手で探索することになるから、宝３０が比較的容易に探索できる。しかも、手で水に触れられるので、ほとんど手探り状態となり宝探しの面白みが増す。また、通路本体３１内の途中に該通路本体３１の高さよりも低い堰状の仕切壁６ｂ，１８を立設すると共に、通路本体３１の高さを仕切壁６ｂ，１８を挟んでその上流側よりも下流側が低くなるように設定してなるので、背の高い大人は上流側、低い子供は下流側に位置すれば、宝３０の探索も容易に行なえる。
【００２６】
また、複数の通路ユニットａ〜ｉを分離可能に接続できるようにしているので、通路ユニットａ〜ｉを適宜組み合わせることにより宝探しゲーム用装置Ａの平面的な形状を変更することができ、これにより設置スペースが有効に利用できる。更にまた、通路本体３１内に立設される複数の仕切壁が下流側に進むに従い段階的に低くなるように設定されるので、これにより人工的な川の流れを造りだすことができ、恰も川の中で探索している気分になって、面白みが一段と増す。
【００２７】
稼働中に、泥溜室７，２１内に砂やゴミが溜まったときは、排出パイプ９の開閉弁１０を緩めて泥などを外に排出する。これにより、常にきれいな水を使用することができて清潔であり気持ちが良い。しかも、通路本体３１内の水ｗをポンプ２８により循環するようにしているので、水道の使用量が節約できる。また、冬など寒い時期には温水器２５を作動させて水ｗを温め、温水を使用するようにすれば、遊技者も手が冷たくならず楽しさを殺がれることはない。
【００２８】
図６は通路ユニットａ〜ｉの他の接続方法を示したものであり、このように接続方法を変更することで、宝探しゲーム用装置Ａの平面的な形状が変えられ、設置スペースに合わせて配置できる。
【００２９】
宝３０としては、宝石や貴金属に限らず、他にコイン、化石でも良く、また、子供を対象としたときは、小さいおもちゃであっても良い。
【図面の簡単な説明】
【００３０】
【図１】本発明に係る宝探しゲーム用装置の斜視図。
【図２】同平面図。
【図３】同長手方向に沿った中央側面断面図。
【図４】通路ユニットの接続部の拡大分解斜視図。
【図５】同接続状態を示す側面断面図。
【図６】宝探しゲーム用装置の他の実施の形態を示す平面図。
【符号の説明】
【００３１】
６ｂ          仕切壁（上流仕切壁）
１８          仕切壁（中流仕切壁）
２８          ポンプ
２９          砂又は砂利
３１          通路本体
Ａ            宝探しゲーム用装置
ａ〜ｉ        通路ユニット
ｗ            水
【図１】
2008295933.tif 000003
【図２】
2008295933.tif 000004
【図３】
2008295933.tif 000005
【図４】
2008295933.tif 000006
【図５】
2008295933.tif 000007
【図６】
2008295933.tif 000008